(57)【要約】【課題】遊技者が保留球の個数を判別しやすいパチンコ遊技機を提供する。【解決手段】第一始動口２８及び第二始動口２９と、第一特別図柄表示装置２６Ａと、第二特別図柄表示装置２６Ｂと、装飾図柄表示装置２７と、複数の保留球表示ランプ４７を有する保留球表示装置４５と、を備えたパチンコ遊技機において、保留球表示装置４５は、最も左側に配置された保留球表示ランプ４７の発光面４７ａ（発光領域）の左端から、最も右側に配置された保留球表示ランプ４７の発光面４７ａ（発光領域）の右端までの長さが、装飾図柄表示装置２７におけるＬＥＤ表示部４２（表示領域）の左端から右端までの長さよりも大きい。【選択図】図４
2015208562.tif 000002
【特許請求の範囲】
【請求項１】
第一始動口及び第二始動口と、
前記第一始動口への遊技球の入賞を契機に、第一特別図柄を変動後停止させる第一特別図柄遊技を表示する第一特別図柄表示装置と、
前記第二始動口への遊技球の入賞を契機に、第二特別図柄を変動後停止させる第二特別図柄遊技を表示する第二特別図柄表示装置と、
前記第一特別図柄遊技及び前記第二特別図柄遊技を演出するために、装飾図柄を変動後停止させる装飾図柄遊技を行う装飾図柄表示装置と、
遊技者から見て左右方向へ配列された複数の保留球表示ランプを有し、前記第一始動口へ入賞した遊技球の数であって前記第一特別図柄遊技に供していない保留球の個数、及び前記第二始動口へ入賞した遊技球の数であって前記第二特別図柄遊技に供していない保留球の個数の合計を前記保留球表示ランプの点灯数によって表示する保留球表示装置と、を備えたパチンコ遊技機において、
前記保留球表示装置は、最も左側に配置された前記保留球表示ランプの発光領域の左端から、最も右側に配置された前記保留球表示ランプの発光領域の右端までの長さが、前記装飾図柄表示装置における表示領域の左端から右端までの長さよりも大きいことを特徴とするパチンコ遊技機。
【発明の詳細な説明】
【技術分野】
【０００１】
本発明は、パチンコ遊技機の保留球表示装置に関する。
【背景技術】
【０００２】
従来、パチンコ遊技機では、第一始動口又は第二始動口に遊技球が入賞した際に行われる第一又は第二の特別図柄遊技において、第一又は第二の特別図柄遊技の大当り判定の結果を表示する表示装置と、前記第一又は第二の特別図柄遊技において、制御装置の記憶部に記憶された保留球の個数を表示する保留球表示装置とを配設する技術が知られている（例えば、特許文献１を参照）。この場合、表示装置は、第一又は第二の特別図柄遊技の大当り判定の結果に基づいて装飾図柄を表示する表示部を備える。
【先行技術文献】
【特許文献】
【０００３】
【特許文献１】特開２０１０−９９１７５号公報
【発明の概要】
【発明が解決しようとする課題】
【０００４】
前記従来技術の如く構成した場合、保留球表示装置は、第一保留ランプ構造の第一表示部材（保留球表示ランプ）と、第二保留ランプ構造の第二表示部材（保留球ランプ）とを上下方向に重ねて配置することで、それぞれ４個、合計して８個までの保留球の個数を表示している。
このように構成した場合、遊技者は第一保留ランプ構造及び第二保留ランプ構造の表示色で保留球の個数を判別することとなり、一度見ただけでは判別し難い場合があった。
保留表示装置に８個の表示器を並列すれば、遊技者が一度見ただけで保留球の個数を判別しやすいが、保留球表示ランプを表示装置の表示部の左右方向の幅内に収めるように配置した場合、各保留球表示ランプのサイズが小さくなるという問題があった。
【０００５】
本発明は、上記のような問題点に鑑みてなされたものであり、遊技者が保留球の個数を判別しやすいパチンコ遊技機を提供するものである。
【課題を解決するための手段】
【０００６】
本発明の解決しようとする課題は以上の如くであり、次にこの課題を解決するための手段を説明する。
【０００７】
即ち、請求項１においては、第一始動口及び第二始動口と、前記第一始動口への遊技球の入賞を契機に、第一特別図柄を変動後停止させる第一特別図柄遊技を表示する第一特別図柄表示装置と、前記第二始動口への遊技球の入賞を契機に、第二特別図柄を変動後停止させる第二特別図柄遊技を表示する第二特別図柄表示装置と、前記第一特別図柄遊技及び前記第二特別図柄遊技を演出するために、装飾図柄を変動後停止させる装飾図柄遊技を行う装飾図柄表示装置と、遊技者から見て左右方向へ配列された複数の保留球表示ランプを有し、前記第一始動口へ入賞した遊技球の数であって前記第一特別図柄遊技に供していない保留球の個数、及び前記第二始動口へ入賞した遊技球の数であって前記第二特別図柄遊技に供していない保留球の個数の合計を前記保留球表示ランプの点灯数によって表示する保留球表示装置と、を備えたパチンコ遊技機において、前記保留球表示装置は、最も左側に配置された前記保留球表示ランプの発光領域の左端から、最も右側に配置された前記保留球表示ランプの発光領域の右端までの長さが、前記装飾図柄表示装置における表示領域の左端から右端までの長さよりも大きいものである。
【発明の効果】
【０００８】
本発明により、保留球表示部のサイズが大きくなるため、遊技者が保留球の個数を判別しやすくなる。
【図面の簡単な説明】
【０００９】
【図１】本発明の一実施形態に係るパチンコ遊技機の全体的な構成を示した正面図。
【図２】同じく、パチンコ遊技機の窓枠が開放された状態の構成を示した正面斜視図。
【図３】同じく、パチンコ遊技機の遊技盤の構成を示した正面図。
【図４】同じく、パチンコ遊技機のＬＥＤ表示部及び保留球表示部の構成を示した正面図。
【図５】同じく、パチンコ遊技機のＬＥＤ表示部及び保留球表示部の構成を示した正面図。
【図６】同じく、パチンコ遊技機のＬＥＤ表示部及び保留球表示部の構成を示した正面図。
【発明を実施するための形態】
【００１０】
次に、発明の実施の形態を説明する。
【００１１】
［パチンコ遊技機］
まず、本発明の一実施形態に係るパチンコ遊技機の全体的な構成について説明する。
なお、以下の説明では、パチンコ遊技機を遊技者から見て、手前側をパチンコ遊技機の前側とし、奥側をパチンコ遊技機の後側として、前後方向を規定する。また、パチンコ遊技機を遊技者から見て、左手側をパチンコ遊技機の左側とし、右手側をパチンコ遊技機の右側として、左右方向を規定する。
【００１２】
パチンコ遊技機は、図１及び図２に示すように、主として、外枠２と、中枠３と、窓枠５と、により構成される枠体に、各種の遊技部品が取り付けられて形成される。
【００１３】
外枠２は、パチンコ遊技機の外郭を成し、前後面が開口された略四角筒状に形成される枠体である。外枠２は、パチンコホール等の遊技場に設けられた台島に設置される。外枠２には、中枠３が設けられる。
【００１４】
中枠３は、前後面が開口された略四角筒状に形成される枠体である。中枠３は、外枠２の前側の開口部にヒンジ等の軸支部材を介して回動可能に支持される。中枠３には、遊技盤４と、窓枠５と、下皿ユニット６と、が設けられる。
【００１５】
遊技盤４は、略平板状に形成された板状部材である遊技板に、各種の遊技部材や装飾部材等が配設されて形成される。遊技盤４は、中枠３の下側を除く略全面に渡って配置される。遊技盤４は、中枠３に着脱可能に取り付けられる。遊技盤４の前側面には、遊技球が転動する領域である遊技領域７が形成される（図３を参照）。
【００１６】
窓枠５は、略平板状に形成される枠体である。窓枠５は、遊技盤４の前方に配置される。窓枠５は、中枠３の前側の開口部にヒンジ等の軸支部材を介して回動可能に支持される。窓枠５の略中央には、略円形状の窓枠開口部８が開口される。窓枠開口部８は、透明板１３により覆われる。これによって、遊技者は、前方から透明板１３を介して窓枠５の後方に配置された遊技盤４（より詳細には、遊技領域７）を視認することができる。窓枠開口部８の下方には、発射前の遊技球が貯溜される上皿９が配設される。窓枠開口部８の左右上方には、スピーカ１０がそれぞれ配設される。
【００１７】
下皿ユニット６は、中枠３の下側であって窓枠５の下方に取り付けられる。下皿ユニット６の略中央には、上皿９から溢れた遊技球が貯溜される下皿１１が配設される。下皿ユニット６の右側部であって下皿１１の右方には、発射ハンドル１２が配設される。発射ハンドル１２は、回動操作されることによって上皿９に貯溜された遊技球を遊技盤４の遊技領域７へ向けて発射可能に構成される。
【００１８】
次に、遊技盤４及び遊技領域７の構成について、図３を用いて説明する。
【００１９】
遊技領域７は、遊技盤４の前側面にガイドレール２０によって区画形成される。ガイドレール２０は、略円弧状に形成された帯状の部材である。ガイドレール２０は、遊技盤４の前側面に正面視で略円形状を形成するように配置される。つまり、遊技領域７は、ガイドレール２０により正面視で略円形状に区画形成される。遊技領域７内には、複数の図示せぬ遊技釘が植設される。発射ハンドル１２の回動操作によって遊技領域７内に放出された遊技球は、図示せぬ遊技釘に衝突しながら当該遊技領域７内を下方へ向けて落下する（転動する）。
【００２０】
遊技盤４における遊技領域７内には、始動装置５０と、大入賞装置２４と、装飾図柄表示装置２７と、保留球表示装置４５とが設けられる。また、遊技領域７の外側には、普通図柄表示装置２５と、第一特別図柄表示装置２６Ａと、第二特別図柄表示装置２６Ｂと、が設けられる。
【００２１】
始動装置５０は遊技領域７の中央下部に配置される部材であり、ベース部５１と、ベース部５１の一部分における前側を被覆するカバー部５２とで構成される。始動装置５０には第一始動口２８、第二始動口２９、及び、第三始動口３０と、可変入賞装置２２（普通電動役物）とが配設される。
【００２２】
第一始動口２８と第二始動口２９とはベース部５１とカバー部５２との間に、左右に並んで配設される。第一始動口２８及び第二始動口２９は上面が開口されたポケット状に形成され、その内部に遊技球が入球（入賞）可能に構成される。換言すれば、始動装置５０の内部には遊技球を第一始動口２８又は第二始動口２９に案内する通路が形成されている。第一始動口２８及び第二始動口２９のそれぞれの内部には、近接スイッチからなる始動口センサ（第一始動口センサ及び第二始動口センサ）が配設される。始動口センサは、遊技球が第一始動口２８又は第二始動口２９に入賞すると当該入賞を検知して、始動口入賞信号を出力する。
【００２３】
可変入賞装置２２は、始動装置５０の中央やや下部に配置される。可変入賞装置２２には、第三始動口３０が設けられる。第三始動口３０は、上面が開口して形成され、その内部に遊技球が入球（入賞）可能に構成される。第三始動口３０の前方は、下端を支点として遊技領域７に対して前後回りに回動可能に支持された板状の可動片が配設される。そして、この可動片が後方（遊技者と反対側）に回動し、第三始動口３０を閉塞している場合、遊技領域７内を転動する遊技球は第三始動口３０に入賞することができない（閉塞状態）。一方、可動片が前方（遊技者側）に回動している場合、遊技領域７内を転動する遊技球は当該可動片に誘導されて第三始動口３０に入賞することができる（開放状態）。なお、本実施形態における可変入賞装置２２は可動片が前後に回動構成としているが、その構成は本実施形態に限定されるものではない。即ち、可変入賞装置を、一対の可動片が左右に開く構成や、一個の可動片が片側に開く構成、ポケット状の部材が前後方向に摺動する構成等、他の構成とすることも可能である。
【００２４】
このように、可変入賞装置２２は、その作動により遊技球が入賞可能な開放状態及び入賞不能な閉塞状態を任意に切り替え可能に構成される。可変入賞装置２２が作動して開放状態になると、第三始動口３０に遊技球が入賞可能となる。第三始動口３０の内部には、近接スイッチからなる始動口センサ（第三始動口センサ）が配設される。始動口センサは、遊技球が第三始動口３０に入賞すると当該入賞を検知して、始動口入賞信号を出力する。
【００２５】
始動ゲート２３は、遊技領域７内の右側下部に配置される。始動ゲート２３は、上下方向に貫通した平面視略コの字状に形成され、その内側を遊技球が通過可能に構成される。始動ゲート２３の内側には、近接スイッチからなる始動ゲートセンサが配設される。始動ゲートセンサは、遊技球が始動ゲート２３を通過すると当該通過を検知して、始動ゲート通過信号を出力する。始動ゲート２３を遊技球が通過した場合には、普通図柄遊技が行われ、普通図柄遊技の当り判定の結果が当りであると、可変入賞装置２２が作動して普通電動役物遊技が行われる。なお、始動ゲートを可変入賞装置と一体的に構成することも可能である。
【００２６】
大入賞装置２４（特別電動役物）は、遊技領域７内の右側下部における始動ゲート２３の下方に配置される。大入賞装置２４には、大入賞口３４が設けられる。大入賞口３４は、正面視で左右方向に細長い略矩形状であって、遊技領域７を前後方向に貫通して形成される。大入賞口３４は、大入賞口扉３５によって覆われる。大入賞口扉３５は、下端を支点として遊技領域７に対して前後回りに回動可能に支持される。そして、大入賞口扉３５が下端を支点として前回りに回動した場合、遊技領域７内を転動する遊技球が大入賞口３４に入賞することができる（開放状態）。一方、大入賞口扉３５が大入賞口３４を覆っている場合、遊技領域７内を転動する遊技球は大入賞口３４に入賞することができない（閉塞状態）。
【００２７】
このように、大入賞装置２４は、その作動により遊技球が入賞可能な開放状態及び入賞不能な閉塞状態を任意に切り替え可能に構成される。また、大入賞口３４の内部には、近接スイッチからなる大入賞口センサが配設される。大入賞口センサは、遊技球が大入賞口３４（大入賞装置２４）に入賞すると当該入賞を検知して、大入賞口入賞信号を出力する。
【００２８】
普通図柄表示装置２５は、普通図柄３９の変動を表示し、普通図柄遊技の当り判定の結果を表示（報知）する装置である。普通図柄表示装置２５は、遊技領域７内の左下部に配置される。普通図柄表示装置２５には、普通図柄３９を表示するためのドットマトリクス形のＬＥＤ表示部３８が設けられる。普通図柄表示装置２５は、遊技球が始動ゲート２３を通過した場合に行われる普通図柄遊技の当り判定の結果を表示するものである。
【００２９】
第一特別図柄表示装置２６Ａは、第一特別図柄４１Ａの変動を表示し、特別図柄遊技において大当りか否かの判定結果を表示（報知）する装置である。第一特別図柄表示装置２６Ａは、遊技領域７内の左下部に設けられ、７セグメント型の表示部４０Ａが設けられる。
【００３０】
第二特別図柄表示装置２６Ｂは、第一特別図柄４１Ｂの変動を表示し、特別図柄遊技において大当りか否かの判定結果を表示（報知）する装置である。第一特別図柄表示装置２６Ｂは、遊技領域７内の左下部に設けられ、７セグメント型の表示部４０Ｂが設けられる。
【００３１】
本発明にかかる表示装置である装飾図柄表示装置２７は、複数の装飾図柄４３・４３・４３（図４参照）の変動を表示し、装飾図柄遊技の当り判定の結果（特別図柄遊技における判定結果）を表示（報知）する装置である。装飾図柄遊技の当り判定の結果は、特別図柄遊技における判定結果に応じて決定される。装飾図柄表示装置２７には、装飾図柄４３・４３・４３の表示領域としての本発明にかかる表示領域であるＬＥＤ表示部４２が設けられる。装飾図柄表示装置２７は、ＬＥＤ表示部４２を前方へ向けた状態で、遊技領域７の略中央に開口された開口部４４に取り付けられる。
ＬＥＤ表示部４２は、遊技者から見て矩形状に形成されており、本実施形態においては、開口部４４の一部分である中央下部に配置されている。なお、ＬＥＤ表示部を開口部の大きさに合わせて構成することも可能である。
ＬＥＤ表示部４２には、左・中・右の３つの変動領域が形成される。３つの変動領域では、装飾図柄４３・４３・４３がそれぞれ独立して変動するように表示される。そして、装飾図柄４３・４３・４３の変動が停止すると、３つの装飾図柄４３・４３・４３が横一列に並んだ状態で表示される。
【００３２】
なお、装飾図柄遊技の当り判定の結果が当りであると、遊技状態が大当り遊技状態へ移行する。ここで、「大当り遊技状態」とは、大入賞装置２４（特別電動役物）が作動して、当該大当り遊技状態となる前の遊技状態（通常の遊技状態）よりも有利となる遊技状態が遊技者に付与された遊技状態を指すものである。また、「大当り遊技」とは、大当り遊技状態での遊技を指すものである。
【００３３】
より詳細には、遊技状態が大当り遊技状態へ移行すると、大入賞装置２４の開放状態と閉塞状態とが連続して切り替えられ、遊技球の大入賞口３４への入賞機会が通常の遊技状態と比較して相対的に増加する。大入賞装置２４の開放状態と閉塞状態との連続した切り替えは、所定の回数（例えば、１５回）だけ行われる。
【００３４】
なお、本実施形態では、装飾図柄表示装置２７には、装飾図柄４３・４３・４３の表示領域としてのＬＥＤ表示部４２が設けられる構成としているが、これに限定するものではなく、例えばセグメントもしくは液晶による表示部が設けられる構成としても良い。
【００３５】
第一始動口２８に遊技球が入賞すると、後述するように第一特別図柄４１Ａが変動し、特別図柄遊技が行われる。また、第二始動口２９又は第三始動口３０に遊技球が入賞すると、後述するように第二特別図柄４１Ｂが変動し、特別図柄遊技が行われる。そして、特別図柄遊技において大当りと判定されると、以下の如く大入賞口３４が開放状態となる。
【００３６】
保留球表示装置４５は、第一始動口２８へ入賞した遊技球の数であって前記第一特別図柄遊技に供していない保留球の個数、及び第二始動口２９へ入賞した遊技球の数であって前記第二特別図柄遊技に供していない保留球の個数の合計を表示する装置である。
保留球表示装置４５は、保留球の個数を表示する保留球表示部４６を備える。
保留球表示部４６に表示される特別図柄遊技の第一の特別図柄及び第二の特別図柄の保留球の個数は、前記第一始動口２８への遊技球の入賞、および、前記第二始動口２９または第三始動口３０への遊技球の入賞に応じて加算され、あるいは第一の特別図柄及び第二の特別図柄の変動表示（大当り判定）に応じて減算される。なお、特別図柄遊技の第一及び第二の特別図柄の保留球の個数の上限は、合計８回に設定される。すなわち、本実施形態においては、第一及び第二の特別図柄遊技において、それぞれ四個ずつ、合計八個の保留球を制御装置の記憶部に記憶させる構成としている。保留球の個数は、ＬＥＤ表示部４２の下方に配設された保留球表示部４６によって表示され、遊技者が視認できる構成とされる。
【００３７】
次に本発明の実施形態に係る保留球表示装置４５について図４を用いて説明する。
保留球表示装置４５の保留球表示部４６は、保留球表示ランプ４７が配置される領域であり、本実施形態においては、「１」から「８」までの数字を表示する保留球表示ランプ４７を八個有する。保留球表示ランプ４７は、左右方向に一列に配置されている。本実施形態においては、数字「１」を表示する保留球表示ランプ４７が左端に配置され、数字「１」を表示する保留球表示ランプ４７の右側に、数字「２」から数字「８」を表示する保留球表示ランプ４７が順番に配列されている。
保留球表示ランプ４７は、本発明にかかる発光領域である発光面４７ａを設けている。発光面４７ａは、数字を表す部分を含む面が発光するように構成され、透光性を有する素材で形成されており、発光面４７ａの裏側には図示せぬＬＥＤ回路が設けられている。保留球表示ランプ４７は、前記ＬＥＤ回路のＬＥＤが発光することにより、発光面４７ａを通して光が前方に照射され発光状態となる。遊技者は、発光状態となっている保留球表示ランプ４７の数を視認することで、保留球の個数を判断することができる。
【００３８】
例えば、保留球表示ランプ４７のうち、数字「１」を表す保留球表示ランプ４７のみが発光している場合には、遊技者は、保留球の個数が１個であることを容易に判断することができる。
また、保留球表示ランプ４７のうち、数字「１」および数字「２」を表す保留球表示ランプ４７が発光している場合には、遊技者は、発光している保留球表示ランプ４７の数を判断することにより、保留球の個数が２個であることを容易に判断することができる。
加えて、発光している保留球表示ランプ４７には数字が記載されているため、遊技者は、発光している保留球表示ランプ４７のうち最大の数字を表す保留球表示ランプ４７（数字「２」を示す保留球表示ランプ４７）を視認することで、保留球の個数が２個であることを容易に判断することができる。
【００３９】
数字「１」から数字「５」までを表示する保留球表示ランプ４７は、略同じ大きさで構成されており、数字「６」から数字「８」を表示する保留球表示ランプ４７は、隣接する左側の保留球表示ランプ４７と比較して大きくなるように構成されている。すなわち、数字「６」を表示する保留球表示ランプ４７は、数字「５」を表示する保留球表示ランプ４７よりも大きく、数字「７」を表示する保留球表示ランプ４７は、数字「６」を表示する保留球表示ランプ４７よりも大きく、数字「８」を表示する保留球表示ランプ４７は、数字「７」を表示する保留球表示ランプ４７よりも大きくなるように形成されている。
このように構成することにより、遊技者は保留球の個数が多くなるにつれてより容易に保留球の個数を判断することが可能となる。また、遊技者は、遊技者にとって有利な状態である保留球の個数が多くなるにつれて、より大きな保留球表示ランプ４７を視認することになるので、興趣性が高まる。
【００４０】
なお、本実施形態においては、数字「６」から数字「８」を表示する保留球表示ランプ４７が、隣接する左側の保留球表示ランプ４７と比較して大きくなるように構成されているが、これに限定するものではなく、例えば、数字「２」から数字「８」を表示する保留球表示ランプ４７が、隣接する左側の保留球表示ランプ４７と比較して大きくなるように構成しても良い。
【００４１】
また、保留球表示部４６の左右方向の幅は、ＬＥＤ表示部４２の左右方向の幅よりも大きくなるように形成されている。ここで、保留球表示部４６の左右方向の幅とは、図４に示す如く、左右方向において最も左側にある保留球表示ランプ４７の発光面４７ａの左端から最も右側にある保留球表示ランプ４７の発光面４７ａの右端までの長さＤ１である。また、ＬＥＤ表示部４２の左右方向の幅とは、ＬＥＤ表示部４２の左端から右端までの長さＤ２である。
【００４２】
保留球表示部４６の最も左側にある保留球表示ランプ４７の発光面４７ａの左端は、ＬＥＤ表示部４２の左端よりも左側に配置されている。また、保留球表示部４６の最も右側にある保留球表示ランプ４７の発光面４７ａの右端は、ＬＥＤ表示部４２の右端よりも右側に配置されている。
【００４３】
また、保留球表示部４６の保留球表示ランプ４７の配置は、図５に示すように、右側に向かうにつれて上方へ屈曲するような列状にすることもできる。
この場合、保留球表示部４６の左右方向の幅とは、左右方向において最も左側にある保留球表示ランプ４７の発光面４７ａの左端から最も右側にある保留球表示ランプ４７の発光面４７ａの右端までの長さＤ１である。すなわち、最も右側にある保留球表示ランプ４７の発光面４７ａの右端とは、最も右側に設けられた保留球表示ランプ４７が表示する数字「８」を９０°左側へ回転した図形の右端となる。
このように構成することにより、保留球表示ランプ４７のレイアウトを変更することで新鮮な印象を与えることができる。また、保留球表示部４６のサイズが大きくなるため、遊技者が保留球の個数を判別しやすくなる。
【００４４】
また、保留球表示部４６の保留球表示ランプ４７の配置は、図６に示すように、二列にすることもできる。
この場合、保留球表示部４６の左右方向の幅とは、左右方向において最も左側にある保留球表示ランプ４７の発光面４７ａの左端から最も右側にある保留球表示ランプ４７の発光面４７ａの右端までの長さＤ１である。本実施形態においては、数字「１」から数字「４」までを表示する保留球表示ランプ４７を上側の列に配置し、数字「５」から数字「８」までを表示する保留球表示ランプ４７を下側の列に配置している。
このように構成することにより、保留球表示ランプ４７のレイアウトを変更することで新鮮な印象を与えることができる。また、保留球表示部４６のサイズが大きくなるため、遊技者が保留球の個数を判別しやすくなる。
【００４５】
本実施形態に係るパチンコ遊技機においては上記の如く構成することにより、保留球表示部４６のサイズが大きくなるため、遊技者が保留球の個数を判別しやすくなる。つまり、保留球表示部４６をＬＥＤ表示部４２よりも大きく形成したことにより、８つの保留球表示ランプ４７を列状に並べて配置することができるため、遊技者が一目で保留球の個数を判別しやすい。特に、本実施形態に係るパチンコ遊技機においては、数字「６」から数字「８」を表示する保留球表示ランプ４７が、隣接する左側の保留球表示ランプ４７と比較して大きくなるように構成されているため、遊技者にとって有利な状態である保留球が多いときに遊技者が更に簡単に保留球の個数を判別でき、より好適である。
【００４６】
以上の如く、本実施形態に係るパチンコ遊技機は、第一始動口２８及び第二始動口２９と、第一始動口２８への遊技球の入賞を契機に、第一特別図柄４１Ａを変動後停止させる第一特別図柄遊技を表示する第一特別図柄表示装置２６Ａと、第二始動口２９への遊技球の入賞を契機に、第二特別図柄４１Ｂを変動後停止させる第二特別図柄遊技を表示する第二特別図柄表示装置２６Ｂと、第一特別図柄遊技及び前記第二特別図柄遊技を演出するために、装飾図柄４３を変動後停止させる装飾図柄遊技を行う装飾図柄表示装置２７と、遊技者から見て左右方向へ配列された複数の保留球表示ランプ４７を有し、第一始動口２８へ入賞した遊技球の数であって前記第一特別図柄遊技に供していない保留球の個数、及び第二始動口２９へ入賞した遊技球の数であって前記第二特別図柄遊技に供していない保留球の個数の合計を保留球表示ランプ４７の点灯数によって表示する保留球表示装置４５と、を備えたパチンコ遊技機において、保留球表示装置４５は、最も左側に配置された保留球表示ランプ４７の発光面４７ａ（発光領域）の左端から、最も右側に配置された保留球表示ランプ４７の発光面４７ａ（発光領域）の右端までの長さが、装飾図柄表示装置２７におけるＬＥＤ表示部４２（表示領域）の左端から右端までの長さよりも大きいものである。
【符号の説明】
【００４７】
４：遊技盤，２６Ａ：第一特別図柄表示装置，２６Ｂ：第二特別図柄表示装置，２７：装飾図柄表示装置，２８：第一始動口，２９：第二始動口，４１：特別図柄，４２：ＬＥＤ表示部（表示部），４３：装飾図柄，４５：保留球表示装置，４７：保留球表示ランプ，５０：始動装置
【図１】
2015208562.tif 000003
【図２】
2015208562.tif 000004
【図３】
2015208562.tif 000005
【図４】
2015208562.tif 000006
【図５】
2015208562.tif 000007
【図６】
2015208562.tif 000008